(57)【特許請求の範囲】
【請求項１】
液体の混合室を有する容器本体と、混合室に通じるパイプを有して混合液を外界に噴射させる噴出機構と、混合室に液体を供給する補助容器とを備える液体噴出容器において、
容器本体又は当該容器本体と噴出機構とを連結する連結部材に、前記混合室に通じさせる貫通孔が形成されていると共に、当該貫通孔を取り囲む筒体部が設けられており、
更に、前記筒体部には、一端部が前記筒体部に対して回転可能な外筒部を構成するエルボ部材が設けられており、
前記補助容器は、液体を充填する充填室を有して変形及び復元の可能な容器本体と、容器本体に固定される先細りの注出栓とを有し、
エルボ部材の他端部が補助容器を保持することで、補助容器を前記混合室に通じさせると共に、
補助容器をエルボ部材と共に回転させることで、補助容器の液体をエルボ部材の内側に形成された流路から前記貫通孔を通して混合室に注出可能にしたことを特徴とする液体噴出容器。
【請求項２】
請求項１において、補助容器の容器本体を透明又は半透明に構成したことを特徴とする液体噴出容器。
【請求項３】
請求項２において、補助容器の容器本体に目盛りを設けたことを特徴とする液体噴出容器。
【請求項４】
請求項１乃至３のいずれか１項において、液体噴出容器の容器本体を透明又は半透明に構成したことを特徴とする液体噴出容器。
【請求項５】
請求項４において、液体噴出容器の容器本体に目盛りを設けたことを特徴とする液体噴出容器。
【請求項６】
請求項１乃至５のいずれか１項において、エルボ部材の一端部を構成する外筒部の内側に、前記筒体部の内側を通って当該筒体部に回転可能に保持される内筒部を設け、前記内筒部に、当該内筒部の先端を閉じて前記貫通孔とエルボ部材の内側との間を仕切る仕切壁を設け、
当該仕切壁に、補助容器をエルボ部材と共に前記筒体部を基点に回転させることで、前記貫通孔に通じさせる開孔を形成し、連結部材とエルボ部材とで開閉弁を構成したことを特徴とする液体噴出容器。
【請求項７】
請求項１乃至５のいずれか１項において、エルボ部材の内側に形成された流路内に、補助容器の注出栓を封止する変形及び復元の可能な隔壁を設け、
前記筒体部の内側に、補助容器をエルボ部材と共に前記筒体部を基点に回転させることで、隔壁を押し潰して変形させることにより補助容器の注出栓を開放させる突起部を設け、エルボ部材の隔壁と補助容器の注出栓とで開閉弁を構成したことを特徴とする液体噴出容器。
【発明の詳細な説明】
【技術分野】
【０００１】
本発明は、液体の混合室を有する容器本体と、混合室に通じるパイプを有して混合液を外界に噴射させる噴出機構と、混合室に液体を供給する補助容器とを備える液体噴出容器に関するものであります。
【背景技術】
【０００２】
薬剤には、２つの液体を使用直前に混合させることにより使用するものがある。このため、出願人は既に、混合室を有する容器本体とは別体に、ポンプ機構に代表される噴出機構に対して着脱可能な補助容器を設け、この補助容器の液体を容器本体に移し替えることで、２つの液体を使用直前に混合させることができるようにしたものを提案済みである（例えば、特許文献１参照）。
【先行技術文献】
【特許文献】
【０００３】
【特許文献１】実開平７−３３８６６号公報
【発明の概要】
【発明が解決しようとする課題】
【０００４】
しかしながら、上述した構成のものは、補助容器の液体を容器本体に移し替えるときに、補助容器の取り外しと、容器本体に対する噴出機構の脱着を行わなければならない。また、上述した構成のものは、補助容器からの液体が容器本体に垂れないように注意深く注ぎ込まなければならない。このため、移し替えの作業が煩雑となり、改善の余地がある。
【０００５】
本発明の目的とするところは、噴出機構や補助容器を取り外すことなく、補助容器の液体を充填させることができる液体噴出容器を提供することにある。
【課題を解決するための手段】
【０００６】
本発明である液体噴出容器は、液体の混合室を有する容器本体と、混合室に通じるパイプを有して混合液を圧送して外界に噴射させる噴出機構と、混合室に液体を供給する補助容器とを備える液体噴出容器において、
容器本体又は当該容器本体と噴出機構とを連結する連結部材に、前記混合室に通じさせる貫通孔が形成されていると共に、当該貫通孔を取り囲む筒体部が設けられており、
更に、前記筒体部には、一端部が前記筒体部に対して回転可能な外筒部を構成するエルボ部材が設けられており、
前記補助容器は、液体を充填する充填室を有して変形及び復元の可能な容器本体と、容器本体に固定される先細りの注出栓とを有し、
エルボ部材の他端部が補助容器を保持することで、補助容器を前記混合室に通じさせると共に、
補助容器をエルボ部材と共に回転させることで、補助容器の液体をエルボ部材の内側に形成された流路から前記貫通孔を通して混合室に注出可能にしたことを特徴とするものである。
【０００７】
本発明では、補助容器の容器本体を、透明又は半透明に構成することが好ましい。また、補助容器の容器本体には、目盛りを設けることが好ましい。
【０００８】
更に、本発明では、液体噴出容器の容器本体を、透明又は半透明に構成することが好ましい。また、液体噴出容器の容器本体には、目盛りを設けることが好ましい。
【０００９】
加えて、本発明では、エルボ部材の一端部を構成する外筒部の内側に、前記筒体部の内側を通って当該筒体部に回転可能に保持される内筒部を設け、前記内筒部に、当該内筒部の先端を閉じて前記貫通孔とエルボ部材の内側との間を仕切る仕切壁を設け、当該仕切壁に、補助容器をエルボ部材と共に前記筒体部を基点に回転させることで、前記貫通孔に通じさせる開孔を形成し、連結部材とエルボ部材とで開閉弁を構成することができる。
【００１０】
或いは、本発明では、エルボ部材の内側に形成された流路内に、補助容器の注出栓を封止する変形及び復元の可能な隔壁を設け、
前記筒体部の内側に、補助容器をエルボ部材と共に前記筒体部を基点に回転させることで、隔壁を押し潰して変形させることにより補助容器の注出栓を開放させる突起部を設け、エルボ部材の隔壁と補助容器の注出栓とで開閉弁を構成することができる。
【発明の効果】
【００１１】
本発明では、容器本体又は当該容器本体と噴出機構とを連結する連結部材に、容器本体に通じる筒体部を設け、この筒体部にエルボ部材を介して補助容器を回転可能に連通させたことで、噴出機構や補助容器を取り外すことなく、補助容器の液体を容器本体内に充填させることができる。
【００１２】
従って、本発明によれば、煩雑な作業を行うことなく、補助容器の液体を容易に充填させることができる。
【図面の簡単な説明】
【００１３】
【図１】本発明の液体噴出容器の一形態である、トリガー式液体噴出容器の第１実施例であって、液体を混合する前の状態を一部断面で示す側面図である。
【図２】同実施例の開閉弁構造を説明する要部分解図である。
【図３】同実施例における、液体混合状態を一部断面で示す側面図である。
【図４】本発明の液体噴出容器の一形態である、トリガー式液体噴出容器の第２実施例であって、液体を混合する前の状態を一部断面で示す側面図である。
【図５】同実施例の開閉弁構造を説明する要部分解図である。
【図６】同実施例における、液体混合状態を一部断面で示す側面図である。
【発明を実施するための形態】
【００１４】
以下、図面を参照して、本発明の一形態である、トリガー式液体噴出容器を詳細に説明する。
【００１５】
図１にて、符号１は、トリガー式液体噴出容器の第１実施例である。
【００１６】
符号２は、口部２ａを有する噴出容器１の容器本体（以下、「噴出容器本体」）である。噴出容器本体２は、２つの液体を混合する混合室Ｒ1を有する。混合室Ｒ1は、口部２ａを通して外界に通じており、第１液Ｃ1を充填することができる。
【００１７】
符号３は、混合室Ｒ1内の液体を吸引、加圧及び圧送して外界に噴射させる噴出機構としてのポンプ機構である。ポンプ機構３は、混合室Ｒ1に通じるパイプ３ａを有し、レバー（操作片）３ｂの往復運動によって駆動される既存のものである。使用者のレバー操作によって圧送された液体はノズル部材３ｃに形成された開孔を通して外界に噴射される。
【００１８】
符号４は、混合室Ｒ1に第２液Ｃ2を供給する補助容器である。補助容器４は、容器本体５と注出栓６とを有する。
【００１９】
容器本体５は、口部５ａを有し、使用者の押し潰しにより変形すると共に、その押し潰しの解放により復元する、いわゆるスクイズ容器である。補助容器４の容器本体（以下、「補助容器本体」）５は、第２液Ｃ2を充填する充填室Ｒ2を有する。充填室Ｒ2は、口部５ａを通して外界に通じており、予め第２液Ｃ2が充填されている。
【００２０】
注出栓６は、図３に示すように、先細りのノズル部６ａを有し、ノズル部６ａの先端に形成された注出口Ａ0を通して第２液Ｃ2を外界に注出させる。また、注出栓６は、ノズル部６ａを設けた蓋部６ｂの背面に嵌合筒６ｃを有する。嵌合筒６ｃは、補助容器本体５の口部（以下、「補助容器本体口部」）５ａの内側に嵌合保持される。これにより、注出栓６は、補助容器本体５に固定される。
【００２１】
符号７は、噴出容器本体２とポンプ機構３とを連結する連結部材である。連結部材７は、軸線Ｏ1周りを周回する周壁部７ａを有する。周壁部７ａの上端部には、ポンプ機構３がリングキャップ３ｄを介してねじ付けられている。また、周壁部７ａの下端部には、噴出容器本体２の口部２ａがねじ付けられている。これにより、噴出容器本体２及びポンプ機構３は、連結部材７を介して連結されている。
【００２２】
また、ポンプ機構３から垂下するパイプ３ａは、周壁部７ａの内側に形成された連通路Ｐ2を通して混合室Ｒ1に通じる。これにより、ポンプ機構３は、使用者のレバー操作によって、混合室Ｒ1内の液体を吸引、加圧及び圧送することができる。
【００２３】
また、符号Ａ1は、周壁部７ａに形成された貫通孔である。貫通孔Ａ1は、連通路Ｐ2を通して混合室Ｒ1に通じる。更に、周壁部７ａの周りには、貫通孔Ａ1を取り囲む筒体部７ｂが一体に設けられている。また、貫通孔Ａ1は、図２等に示すように、軸線Ｏ3に対してずらした位置に配置されている。
【００２４】
符号８は、Ｌ字状に折り曲げられた管状の本体８ａからなるエルボ部材である。エルボ部材８は、本体８ａの一端部８ｂが筒体部７ｂを取り囲む外筒部（以下、「外筒部８ｂ」）を構成する。外筒部８ｂの内周面は、筒体部７ｂの外周面に対して、筒体部７ｂの軸線Ｏ3周りに摺動可能に保持されている。
【００２５】
加えて、外筒部８ｂの内側には、筒体部７ｂの内側を通って当該筒体部７ｂに回転可能に保持される内筒部８ｃが一体に設けられている。内筒部８ｃの外周面は、筒体部７ｂの内周面に対して、筒体部７ｂの軸線Ｏ3周りに摺動可能に保持されている。
【００２６】
これにより、エルボ部材８は、外筒部８ｂと内筒部８ｃとの間に形成された環状溝に挿入された筒体部７ｂによって、その軸線Ｏ3周りを時計回り又は反時計回りに回転（旋回）させることができる。
【００２７】
なお、本形態では、筒体部７ｂの外周面に、その周方向（軸線Ｏ3周り）に全周に亘って環状突起７ｃが形成されていると共に、外筒部８ｂの内周面には、その周方向（軸線Ｏ3周り）に全周に亘って環状溝８ｄが形成されている。環状突起７ｃは、環状溝８ｄに嵌合することにより、エルボ部材８を筒体部７ｂに対して回転可能に保持すると共に、筒体部７ｂに対して抜け止め保持する。
【００２８】
また、内筒部８ｃには、その先端を閉じて貫通孔Ａ1とエルボ部材８の内側に形成された流路Ｐ1との間を仕切る仕切壁８ｅが設けられている。仕切壁８ｅには、エルボ部材８を筒体部７ｂに対して回転させることで、流路Ｐ1を貫通孔Ａ1に通じさせる開孔Ａ2が形成されている。
【００２９】
本形態では、開孔Ａ2は、貫通孔Ａ1と同様、図２に示すように、軸線Ｏ3に対してずらして、貫通孔Ａ1に対して軸線Ｏ3を中心とした点対称に配置することにより、エルボ部材８を筒体部７ｂに対して回転させて、補助容器４を倒立させたとき、貫通孔Ａ1に通じさせるように形成する。これにより、補助容器４を倒立させると、開孔Ａ2は、貫通孔Ａ1に整列し、エルボ部材８の内側に形成された流路Ｐ1を、周壁部７ａの内側に形成された連通路Ｐ2に通じさせる。なお、開孔Ａ2は、軸線Ｏ3に沿って内筒部８ｃを切り欠くように延在しているが、仕切壁８ｅを貫通させるだけでもよい。
【００３０】
また、エルボ部材８は、図１等に示すように、本体８ａの他端部８ｆが補助容器本体口部５ａを取り囲むと共に当該口部５ａを保持する装着部（以下、「装着部８ｆ」）を構成する。注出栓６のノズル部６ａは、図１等に示すように、装着部８ｆで補助容器４を保持したとき、エルボ部材８の内側に形成された流路Ｐ1に配置される。また、この流路Ｐ1は、天板６ｂによって液密な状態に封止される。
【００３１】
なお、保持部８ｆは、その内側に、補助容器本体口部５ａの外周面に形成されたねじ部５ｓにねじ付けられるねじ部８ｓが形成されている。これにより、補助容器４は、エルボ部材８の他端部に着脱可能に装着することができる。
【００３２】
ここで、第１実施例の作用を説明する。
【００３３】
使用者は先ず、エルボ部材８を持って筒体７ｂを基点に回転させることで、図１の状態から図３の状態に補助容器４を倒立させる。これにより、エルボ部材８の開孔Ａ2と連結部材７の貫通孔Ａ1が整列することで、補助容器４の充填室Ｒ2は、エルボ部材８内の流路Ｐ1から貫通孔Ａ1を通して混合室Ｒ1に通じさせることができる。
【００３４】
次いで、使用者が補助容器本体５の押し潰し及びその解除を繰り返すことで、注出口Ａoから充填室Ｒ1内の第２液Ｃ2をエルボ部材８の流路Ｐ1に導入する。流路Ｐ1に導入された第２液Ｃ2は、エルボ部材８から連結部材７を通して噴出容器本体２内の混合室Ｒ1に流入される。混合室Ｒ1に流入させる第２液Ｃ2の容量は、補助容器本体５の押し潰し及びその解除を繰り返しにより調整することができる。
【００３５】
なお、本形態では、補助容器本体５を透明又は半透明からなる合成樹脂で構成することで、充填室Ｒ2内の第２液Ｃ2の残量を目視により確認することができる。加えて、補助容器本体５には、複数の目盛り５ｂが設けられている。これにより、補助容器４からの定量注出を精度良く行うことができる。また、本発明に従えば、補助容器本体５は、第２液Ｃ2の残量を目視できるのであれば、少なくとも一部を透明又は半透明とすることもできる。例えば、目盛り５ｂの部分だけ、透明又は半透明とすることもできる。
【００３６】
また、本形態では、噴出容器本体２を透明又は半透明からなる合成樹脂で構成することで、混合室Ｒ1内の第１液Ｃ1の総量を目視により確認することができる。加えて、噴出容器本体２にも、複数の目盛り２ｂが設けられている。これにより、補助容器４からの定量注出を精度良く行うことができる。なお、本発明に従えば、噴出容器本体２についても、混合液の残量を目視できるのであれば、少なくとも一部を透明又は半透明とすることもできる。例えば、補助容器本体５と同様、目盛り２ｂの部分だけ、透明又は半透明とすることもできる。
【００３７】
本発明では、上述のとおり、連結部材７に、噴出容器本体２に通じる筒体部７ｂを設け、この筒体部７ｂにエルボ部材８を介して補助容器４を回転可能に連通させたことで、ポンプ機構３や補助容器４を取り外すことなく、第２液体Ｃ2を噴出容器本体２内の混合室Ｒ1に充填させることができる。
【００３８】
従って、本発明によれば、煩雑な作業を行うことなく、補助容器４の第２液Ｃ2を容易に充填させることができる。
【００３９】
なお、本発明では、第１液Ｃ1は、第２液Ｃ2を混合室Ｒ1内に定量注出した後、ポンプ機構３を取り外して充填することも可能であるが、予め混合室Ｒ1内に充填しておくことも可能である。この場合、噴出機構や補助容器を取り外すことなく、２つの液体Ｃ2,Ｃ2を混合室Ｒ1内で容易に混合させることができると共に、第２液Ｃ2を移し替えるときに、補助容器４内の第２液Ｃ2は勿論、噴出容器本体２内の第１液Ｃ1も外気に触れないため、品質の維持にも有効である。
【００４０】
また、本実施例の如く、エルボ部材８に設けた仕切壁８ｅに、補助容器４をエルボ部材８と共に筒体部７ｂを基点に回転させることで、エルボ部材８内の流路Ｐ1を貫通孔Ａ1に通じさせる開孔Ａ2を形成し、連結部材７とエルボ部材８とで開閉弁を構成すれば、簡素な構成で、しかも、エルボ部材８を逆転させて初期位置に戻すだけという簡単な操作で、流路Ｐ1からの余分な第２液Ｃ2の流入を阻止できる。このため、連結部材７とエルボ部材８とで開閉弁を構成すれば、第２液Ｃ2の定量注出に有効である。
【００４１】
次に、図４にて、符号１０は、トリガー式液体噴出容器の第２実施例である。以下、本実施例において、第１実施例と同一の機能を奏する部分は、同一符号をもってその説明を省略する。
【００４２】
本形態も、エルボ部材８は、その本体８ａの一端部８ｂが筒体部７ｂを取り囲む外筒部（以下、「外筒部８ｂ」）を構成し、筒体部７ｂの軸線Ｏ3周りに摺動可能に保持されている。これにより、エルボ部材８は、筒体部７ｂに保持された外筒部８ｂによって、その軸線Ｏ3周りを時計回り又は反時計回りに回転（旋回）させることができる。
【００４３】
なお、本実施例では、第１実施例の内筒部８ｃが省略されている。このため、エルボ部材８の内側に形成された流路Ｐ1は、筒体部７ｂの内側に形成された流路Ｐ3を一部として貫通孔Ａ1（図示省略）を通して連通路Ｐ2（図示省略）に通じる。
【００４４】
また、本実施例では、図４等に示すように、エルボ部材８の流路Ｐ1内のうちの折れ曲がり部分に、変形及び復元の可能な隔壁９が設けられている。隔壁９は、図５(a)に示すように、半球形状をなし、その先端部分が装着部８ｆの開口部に指向するように配置されている。隔壁９は、ノズル部６ａの先端を押圧することにより、注出口Ａ0を封止する。
【００４５】
これに対し、筒体部７ｂの内側には、補助容器４をエルボ部材８と共に筒体部７ｂを基点に回転させることで、図５(b)に示すように、隔壁９を押し潰して変形させることにより、注出口Ａ0を開放させる突起部７ｄが設けられている。
【００４６】
本形態では、突起部７ｄは、軸線Ｏ3に対して補助容器４側に偏心させるように、当該軸線Ｏ3に対してずらした位置に設けられている。これにより、エルボ部材８を筒体部７ｂに対して回転させて、補助容器４を倒立させると、突起部７ｄが隔壁９を押し潰して変形させることで、注出口Ａ0を解放してエルボ部材８の内側に形成された流路Ｐ1に通じさせる。
【００４７】
ここで、第２実施例の作用を説明する。
【００４８】
使用者は、第１実施例と同様、エルボ部材８を持って筒体７ｂを基点に回転させることで、図４の状態から図６の状態に補助容器４を倒立させる。これにより、突起部７ｄが隔壁９を押し潰して注出口Ａ0を解放することで、補助容器４の充填室Ｒ2は、第１実施例と同様、エルボ部材８内の流路Ｐ1から貫通孔Ａ1を通して混合室Ｒ1に通じさせることができる。
【００４９】
その後は、第１実施例と同様、使用者が補助容器本体５の押し潰し及びその解除を繰り返すことで、充填室Ｒ1内の第２液Ｃ2を、エルボ部材８から連結部材７を通して噴出容器本体２内の混合室Ｒ1に流入させ、その容量は、補助容器本体５の押し潰し及びその解除を繰り返しにより調整することができる。なお、本実施例では、貫通孔Ａ1は、突起部７ｄを除く、筒体部７ｂの内径全体を開口させるように形成されている。
【００５０】
また、本実施例の如く、エルボ部材８の内側に形成された流路Ｐ1内に、補助容器４の注出栓６を封止する変形及び復元の可能な隔壁９を設け、筒体部７ｂの内側に、補助容器４をエルボ部材８と共に筒体部７ｂを基点に回転させることで、隔壁９を押し潰して変形させることにより注出口Ａ0を開放させる突起部７ｄを設け、隔壁９と注出栓６とで開閉弁を構成すれば、エルボ部材８を逆転させて初期位置に戻すだけという簡単な操作で、流路Ｐ1からの余分な第２液Ｃ2の流入を阻止できる。このため、隔壁９と注出栓６とで開閉弁を構成しても、第２液Ｃ2の定量注出に有効である。
【００５１】
上述したところは、本発明の一形態を示したにすぎず、本発明に従えば、種々の変更を加えることができる。例えば、筒体部７ｂは、噴出容器本体２の口部にポンプ機構３を装着する場合には、連結部材７を設けることなく、噴出容器本体２に直接設けることができる。ポンプ機構は、トリガー式ポンプを採用したものに限らず、ノズルを備えたヘッドを操作片として、その押下げ動作と復帰動作の繰り返しによりポンプ駆動を生起させるものでもよい。各実施例に記載の構成はそれぞれ、適宜、組み合わせることができる。
【産業上の利用可能性】
【００５２】
本発明は、２つの液体を混合させた混合液を噴射させる液体噴出容器であれば、様々なものに採用することができる。噴射させる液体も、カビ取り剤に代表される薬剤、浴室洗剤に代表される液体洗剤等、２液混合液であれば様々なものを採用できる。
【符号の説明】
【００５３】
１    トリガー式液体噴出容器（第１実施例）
２    噴出容器本体
２ａ  噴出容器本体口部
２ｂ  目盛り
３    ポンプ機構（噴出機構）
３ａ  パイプ
３ｂ  トリガー（操作片）
３ｃ  ノズル部材
３ｄ  リングキャップ
４    補助容器
５    補助容器本体
５ａ  補助容器本体口部
５ｂ  目盛り
６    注出栓
６ａ  ノズル部
６ｂ  蓋部
６ｃ  嵌合部
７    連結部材
８    エルボ部材
８ａ  本体
８ｂ  外筒部（エルボ部材の一端部）
８ｃ  内筒部
８ｄ  環状溝
８ｅ  仕切壁
９    隔壁
１０  トリガー式液体噴出容器（第２実施例）
【図１】
0005467991.tif 000002
【図２】
0005467991.tif 000003
【図３】
0005467991.tif 000004
【図４】
0005467991.tif 000005
【図５】
0005467991.tif 000006
【図６】
0005467991.tif 000007